(57)【要約】【課題】テーブル収納ロックに物品を保持する機能を有する乗り物用シートを提供する。【解決手段】シートバック３を備えた自動車用シート１において、シートバック３の背面３ａには、常時該シートバック３の背面３ａに沿って背面３ａよりの突出量が薄くなるように収納されてなり、必要に応じて後ろ側に突出するテーブル５と、該テーブル５をシートバック３の背面３ａに沿わせるテーブル収納ロック６とが支持されてなり、該テーブル収納ロック６には、物品１７を保持できるフック７が形成されてなる。【選択図】　　　図４
2004121425.tif 000002
【特許請求の範囲】
【請求項１】
シートクッションと、該シートクッションに対して立設位置及び前倒れ位置それぞれに保持可能なるシートバックとより構成されてなる乗り物用シートにおいて、
前記シートバックの背面には、常時該シートバックの背面に沿って背面よりの突出量が薄くなるように折り畳まれてなり、必要に応じて物品収納スペースが形成される物品収納具が設けられ、該物品収納具には、開閉自在な蓋体が支持されてなることを特徴とする乗り物用シート。
【請求項２】
請求項１に記載の乗り物用シートであって、
前記物品収納具は、合成樹脂により形成された方形の底面部材と、該底面部材と同形の枠部材と、該底面部材及び枠部材に対して上下両端部がそれぞれ折れ曲がり可能なる第１、第２ヒンジにより結合され且つ二つ折れ可能なる第３ヒンジを有する対向する第１側板と、前記底面部材及び前記枠部材の一方に対して折れ曲がり可能なる第４ヒンジにより結合され且つ前記底面部材及び前記枠部材の他方に対してストッパにより係脱自在なる対向する第２側板とよりなることを特徴とする乗り物用シート。
【請求項３】
請求項２に記載の乗り物用シートであって、
前記ストッパは、第２側板が枠部材及び底面部材より外側に移動することを阻止するように形成されてなることを特徴とする乗り物用シート。
【発明の詳細な説明】
【０００１】
【発明の属する技術分野】
この発明は、新幹線などの車両、自動車、航空機、船舶などの乗り物用シート、特にそのシートバック構造に関する。
【０００２】
【従来の技術】
従来の乗り物用シートとしては、シートクッションと、該シートクッションに対して立設位置に保持可能なるシートバックとより構成されてなり、前記シートバックのトランクルームに面する背面には、テーブル及び該テーブルを保持したテーブルアームが回転可能に軸支されてなり、該テーブルとテーブルアームを収納する状態と、使用状態とに移動自在である（例えば、特許文献１）。
【０００３】
また、その他の従来の乗り物用シート用ハンガー（衣紋かけ）としては、シートクッションに対して立設位置に保持可能なるシートバックのトランクルームに面する背面に、円弧状のフックを回動自在に設け、展開使用時にフックの先端が所定角度で上方へ突出すると共に。該フックを常時ハンガーの内側へ弾力的に引き戻すように構成しているものがある（例えば、特許文献２）。
【０００４】
【特許文献１】
実開平６−１２１７２号公報（段落００１１、００１３、図１参照。）
【特許文献２】
実開平６−８２９５９号公報（実用新案登録請求の範囲、図１乃至図３参照。）
【０００５】
【発明が解決しようとする課題】
しかしながら、このような従来の技術にあっては、ともに乗り物用シートのシートバックの背面に配設されてなるテーブル収納ロックとしての機能しかなく、改善が求められている。
【０００６】
そこで、この発明は、このような従来の技術に着目してなされたものであり、テーブル収納ロックに物品を保持する機能を有する乗り物用シートを提供するものである。
【０００７】
【課題を解決するための手段】
請求項１に記載の発明は、シートクッションと、該シートクッションに対して立設位置に保持可能なるシートバックとより構成されてなる乗り物用シートにおいて、前記シートバックの背面には、常時該シートバックの背面に沿って背面よりの突出量が薄くなるように収納されてなり、必要に応じて後ろ側に突出するテーブルと、該テーブルをシートバックの背面に沿わせるテーブル収納ロックとが支持されてなり、該テーブル収納ロックには、物品を保持できるフックが形成されてなる。
【０００８】
請求項１に記載の発明によれば、物品をテーブル上に載置しない時には、テーブルは、乗り物用シートのシートバック背面に折り畳まれているので、シートバックの背面に沿って背面よりの突出量が薄くなり、乗り物室内空間を狭めないし、見栄えが向上する。また、買い物をした後など物品を保持する時には、該テーブルをロックするテーブル収納ロックのフックに引っかけて保持させることができる。テーブルで物書きをする場合や食事を摂る場合には、テーブル収納ロックを離脱させてシートバック背面から後ろ側に移動させることができる。
【０００９】
請求項２に記載の発明は、請求項１に記載の乗り物用シートであって、前記テーブル収納ロックは、合成樹脂により形成され、回転自在に軸支された中心軸と、該中心軸に対して上下に延在されてなると共に操作する際の掴み部及び前記テーブルをシートバックの背面にロックするロック部とが一体に形成されてなる本体部とよりなり、前記フックは、前記ロック部の後ろ側に一体に形成されてなる。
【００１０】
請求項２に記載の発明によれば、請求項１の効果に加え、掴み部は、上下に延在されてなるので、掴みやすく、中心軸を中心に回転操作可能である。ロック部は、掴み部に垂下されてなるだけなので、成形型が単純で良く、金型費が安価になる。フックは、ロック部の後ろ側に一体に形成されてなるので、組立を要せず、安価である。
【００１１】
請求項３に記載の発明は、請求項２に記載の乗り物用シートであって、前記中心軸は、前記シートバックの背面に支持されたプレートに形成された筒状のカラーに軸支されてなり、該プレートは、前記中心軸を中心にした円弧状に形成されてなると共に該円弧状の縁部に抑え部が形成されてなる。
【００１２】
請求項３に記載の発明によれば、請求項２に記載の効果に加え、カラーにより中心軸が回転自在に軸支されてなるので、前記テーブル収納ロックは、スムーズな回転が可能となる。また、プレートの円弧状の縁部の抑え部が、シートバックの背面を抑えるので、テーブル収納ロックの回転の邪魔にシートバックの背面がなることがない。
【００１３】
【発明の実施の形態】
以下、この発明の好適な実施形態を図面に基づいて説明する。尚、ＦＲを前側として説明する。
【００１４】
図１乃至図５は、この発明の一実施形態を示すもので、符号１は、新幹線などの車両、自動車、航空機、船舶などの乗り物用シートで、図示しない乗員が着座可能なシートクッション２と、該シートクッション２に対して立設位置に保持可能なると共に乗員が凭れ係り可能なるシートバック３と、シートクッション２からシートバック３にかけて支持されてなるアームレスト４とより少なくとも構成されてなる。「少なくとも構成されてなる」とは、この他に、前記シートクッション２の前後位置を調節自在なるスライド装置、前記シートバック３をシートクッション２に対して前後方向に傾き可能なるリクライニング装置、シートバック３の頂部に支持されたヘッドレストなど数多くの構成部材が有るからであるが、周知であるので、図示及び説明を省略した。符号２ａは、前記シートクッション２の脚部で、図示しない床から適宜の高さを確保するためのものである。
【００１５】
前記シートバック３の背面３ａには、常時該シートバック３の背面３ａに沿って背面よりの突出量が薄くなるように収納されてなり、必要に応じて後ろ側に突出するテーブル５と、該テーブル５をシートバック３の背面３ａに沿わせるテーブル収納ロック６とが支持されてなり、該テーブル収納ロック６には、物品を保持できるフック７が形成されてなる。
【００１６】
前記テーブル５は、脚５ａによりシートバック３の背面３ａの下側を中心に前後方向に回転自在なるように支持されてなる。該脚５ａ、５ａ間には、網によるポケット８が形成されていて、後ろ側に引いて上側から蜜柑など適宜の品物を収納支持できる。
【００１７】
前記テーブル収納ロック６は、合成樹脂により形成され、回転自在に軸支された中心軸９と、該中心軸９に対して上下に延在されてなると共に操作する際の掴み部１０及び前記テーブル５をシートバック３の背面３ａにロックするロック部１１とが一体に形成されてなる本体部１２とよりなり、前記フック７は、前記ロック部１１の後ろ側に一体に形成されてなる。
【００１８】
前記中心軸９は、前記シートバック３の背面３ａにビス１５により支持されたプレート１３に形成された筒状のカラー１４に軸支されてなる。該プレート１３は、前記中心軸９を中心にした円弧状に形成されてなると共に該円弧状の縁部１３ａに抑え部１４が形成されてなる。符号１６は、前記ビス１５の頭に前記掴み部１０の裏面が干渉しないように逃げた凹部である。
【００１９】
次に、この実施形態に係る作用を説明する。
【００２０】
弁当や水筒、本など適宜の物品をテーブル５上に載置しない図１に示すテーブル５の格納状態の時には、テーブル５は、乗り物用シート１のシートバック３の背面３ａに折り畳まれているので、シートバック３の背面３ａに沿って背面３ａよりの突出量が薄くなり、乗り物の室内空間を狭めないし、見栄えが向上する。
【００２１】
また、買い物をした後など、弁当や水筒、本など適宜の物品を保持する時には、該テーブル５をロックするテーブル収納ロック６のフック７に「物品」としての紙袋などの収納具１７の取っ手１７ａや服１８をかけるハンガー（衣紋かけ）１９を引っかけて保持させることができる。
【００２２】
テーブル５で物書きをする場合や食事を摂る場合には、テーブル収納ロック６の掴み部１０を掴んで中心軸９を中心に回転操作させて、ロック部１１をテーブル５の移動軌跡上から離脱させて、シートバック３の背面３ａから脚５ａ、５ａにより後ろ側に移動させることができる。
【００２３】
カラー１４により中心軸９が回転自在に軸支されてなるので、前記テーブル収納ロック６は、スムーズな回転が可能となる。また、プレート１３の円弧状の縁部１３ａの抑え部１４が、シートバック３の背面３ａが膨張したりするのを抑えるので、テーブル収納ロック６の回転の邪魔にシートバック３の背面３ａがなることがない。
【００２４】
【発明の効果】
請求項１に記載の発明によれば、物品をテーブル上に載置しない時には、テーブルは、乗り物用シートのシートバック背面に折り畳まれているので、シートバックの背面に沿って背面よりの突出量が薄くなり、乗り物室内空間を狭めないし、見栄えが向上する。また、買い物をした後など物品を保持する時には、該テーブルをロックするテーブル収納ロックのフックに引っかけて保持させることができる。テーブルで物書きをする場合や食事を摂る場合には、テーブル収納ロックを離脱させてシートバック背面から後ろ側に移動させることができる。
【００２５】
請求項２に記載の発明によれば、請求項１の効果に加え、掴み部は、上下に延在されてなるので、掴みやすく、中心軸を中心に回転操作可能である。ロック部は、掴み部に垂下されてなるだけなので、成形型が単純で良く、金型費が安価になる。フックは、ロック部の後ろ側に一体に形成されてなるので、組立を要せず、安価である。
【００２６】
請求項３に記載の発明によれば、請求項２に記載の効果に加え、カラーにより中心軸が回転自在に軸支されてなるので、前記テーブル収納ロックは、スムーズな回転が可能となる。また、プレートの円弧状の縁部の抑え部が、シートバックの背面を抑えるので、テーブル収納ロックの回転の邪魔にシートバックの背面がなることがない。
【図面の簡単な説明】
【図１】この発明の一実施形態に係るシートバック背面に支持されたテーブルを収納した状態を後側から見た斜視図。
【図２】図１の要部を拡大した正面図。
【図３】図２のＳＡ−ＳＡ線に沿った断面図。
【図４】図１に示すテーブル収納ロックのフックに袋を引っかけて保持させた状態を後側から見た斜視図。
【図５】図１に示すテーブル収納ロックのフックに服のハンガーを引っかけて保持させた状態を後側から見た斜視図。
【符号の説明】
１　　自動車用シート
２　シートクッション
３　シートバック
３ａ　シートバックの背面
５　テーブル
６　テーブル収納ロック
７　フック
９　中心軸
１０　掴み部
１１　ロック部
１２　本体部
１３　プレート
１４　カラー
１７　物品としての紙袋
【図１】
2004121425.tif 000003
【図２】
2004121425.tif 000004
【図３】
2004121425.tif 000005
【図４】
2004121425.tif 000006
【図５】
2004121425.tif 000007